(57)【特許請求の範囲】
【請求項１】
空気の吸込口または吹出口となる開口を覆うパネル部と、
前記パネル部に着脱可能とされて、前記パネル部の一部を覆うカバーと、を備え、
前記パネル部のうち前記カバーに覆われる領域に、前記パネル部を固定するねじが貫通可能な穴が形成され、
前記カバーに覆われる領域は、他の領域よりも凹んだ凹部であり、
前記凹部の壁面には、前記カバーの着脱を案内する案内穴が形成され、
前記カバーには、前記案内穴に挿入される案内凸部が形成され、
前記案内穴に前記案内凸部を挿入して、前記開口と平行にスライドさせることで前記カバーが前記凹部に装着され、
前記凹部には、前記案内穴が形成された壁面から突出して前記凹部の底面と対向する第１の対向片と、前記凹部の底面から突出して前記凹部の底面と対向する第２の対向片とが形成されており、
前記カバーには、前記凹部に装着された状態で前記底面と前記第１の対向片との間に挿入される第１の挿入片と、前記凹部に装着された状態で前記底面と前記第２の対向片との間に挿入される第２の挿入片と、が形成されることを特徴とする化粧パネル。
【請求項２】
前記案内凸部の先端には、前記案内穴からの抜け落ちを防ぐ引掛け部が形成されることを特徴とする請求項１に記載の化粧パネル。
【請求項３】
前記凹部の壁面には、前記カバーを位置決めする位置決め凹部が形成され、
前記カバーには、前記凹部に装着された状態で前記位置決め凹部に嵌る嵌合凸部が形成されることを特徴とする請求項１または２に記載の化粧パネル。
【請求項４】
請求項１から３のいずれか１つに記載の化粧パネルと、
前記開口が一面に形成されて内部に送風機が設けられた本体と、を備えることを特徴とする換気扇。
【発明の詳細な説明】
【技術分野】
【０００１】
本発明は、化粧パネルおよび換気扇に関する。
【背景技術】
【０００２】
換気扇に取り付ける化粧パネルの多くは材料に樹脂を使用している。化粧パネルは、例えば特許文献１に示すように、バネを用いて換気扇の本体に取付けられる。バネを用いる取付け構造により、さまざまな天井面に対して、化粧パネルを密着させて装着することが可能となっている。このようなバネは、化粧パネルよりも本体側に設けられて外部に露出しないようになっている。すなわち、バネを用いた化粧パネルの取付け構造によって、意匠性の向上が図られている。
【先行技術文献】
【特許文献】
【０００３】
【特許文献１】特開平４−０１５４４０号公報
【発明の概要】
【発明が解決しようとする課題】
【０００４】
しかしながら、バネの弾性力によって化粧パネルを保持しているため、化粧パネルが大型化した場合には、その重量に耐えるためにばねの強度を高める必要がある。そのため、化粧パネルの着脱時にバネを変形させることが困難となり、施工性が悪化する場合があった。また、化粧パネルのクリープ変形にバネの強度が耐えられない場合、またはバネの経年劣化によってバネの強度が化粧パネルの重量に耐えられない場合には、化粧パネルと天井面との間に隙間ができて意匠性が低下する場合があった。
【０００５】
本発明は、上記に鑑みてなされたものであって、意匠性の向上を図りつつ、天井面との間に隙間が生じにくい化粧パネルを得ることを目的とする。
【課題を解決するための手段】
【０００６】
上述した課題を解決し、目的を達成するために、本発明にかかる化粧パネルは、空気の吸込口または吹出口となる開口を覆うパネル部と、パネル部に着脱可能とされて、パネル部の一部を覆うカバーと、を備え、パネル部のうちカバーに覆われる領域に、パネル部を固定するねじが貫通可能な穴が形成されることを特徴とする。
【発明の効果】
【０００７】
本発明にかかる化粧パネルによれば、意匠性の向上を図りつつ、天井面との間に隙間が生じにくくなるという効果を奏する。
【図面の簡単な説明】
【０００８】
【図１】本発明の実施の形態１にかかる換気扇の概略構成を示す断面図
【図２】実施の形態１にかかる換気扇を化粧パネル側から見た斜視図
【図３】実施の形態１における化粧パネルの凹部部分の部分拡大斜視図
【図４】実施の形態１における化粧パネルの凹部部分を裏面から見た部分拡大斜視図
【図５】実施の形態１におけるカバーを裏面から見た斜視図
【図６】実施の形態１におけるカバーを表面から見た斜視図
【図７】実施の形態１におけるカバーを表面から見た斜視図
【図８】実施の形態１にかかる換気扇において化粧パネルの固定部分を拡大した部分拡大斜視図
【図９】実施の形態１にかかる換気扇において化粧パネルの固定部分を拡大した部分拡大斜視図
【図１０】実施の形態１にかかる換気扇において化粧パネルの固定部分を拡大した部分拡大斜視図
【発明を実施するための形態】
【０００９】
以下に、本発明の実施の形態にかかる化粧パネルおよび換気扇を図面に基づいて詳細に説明する。なお、この実施の形態によりこの発明が限定されるものではない。
【００１０】
実施の形態１．
図１は、本発明の実施の形態１にかかる換気扇の概略構成を示す断面図である。図２は、実施の形態１にかかる換気扇を化粧パネル側から見た斜視図である。
【００１１】
ダクト用換気扇である換気扇１は、換気する空気を流通させる換気駆動体である多翼式送風機１０と、この多翼式送風機１０を収納し、風路形成を目的とするファンケーシング１１とを有している。多翼式送風機１０は、モーター１２と、このモーター１２の駆動軸に差込結合されたファン１３とを備える。
【００１２】
また、換気扇１は、本体であるボディ２０と、ダクト接続枠２１とを備える。ダクト接続枠２１は、ボディ２０の側部に設けられて、ボディ２０の側面から直角方向に延びた吐出口２３をダクト２４に連通する位置まで延長する段付きの筒状部材である。
【００１３】
ダクト接続枠２１の外形は、径が異なる段状に形成されている。これにより、異なる径のダクト２４をダクト接続枠２１に接続可能となる。また、ダクト２４とダクト接続枠２１との隙間へのテーピングの作業性の向上が図られる。
【００１４】
ダクト接続枠２１内には、風圧にて開閉するシャッター２２が設けられている。シャッター２２は換気扇１の運転時には風圧で開いてダクト接続枠２１を開放し、停止時にはシャッター２２の自重でダクト接続枠２１を閉鎖する。
【００１５】
このように、シャッター２２を設けることで、換気扇１の停止時に屋外からの外風が室内に侵入するのを防止することができる。ダクト２４は、屋外まで延びており建物の屋外外壁に備えたフード（図示せず）等と連結し、住宅内の空気を換気する換気風路を形成している。
【００１６】
ボディ２０は、一面に開口が形成された箱型に成形されている。ボディ２０に形成された開口は、多翼式送風機１０が運転されることで、ボディ２０の内部に空気を吸い込む吸込口となる。なお、ボディ２０に形成された開口が空気を吹き出す吹出口として用いられてもよい。ボディ２０の開口側には、ボディ２０をねじで天井に固定するためのねじ穴が形成されたフランジ（縁部）２５が形成される。
【００１７】
図３は、実施の形態１における化粧パネル３０の凹部３６部分の部分拡大斜視図である。図４は、実施の形態１における化粧パネル３０の凹部３６部分を裏面から見た部分拡大斜視図である。化粧パネル３０は、換気扇１の意匠性の向上や、ファン１３への異物混入の防止を主な目的として、ボディ２０に取り付けられる。
【００１８】
化粧パネル３０は、ボディ２０の開口を覆うパネル部３５と、パネル部３５に着脱可能とされてパネル部３５の一部を覆うカバー３１とを備える。パネル部３５は、方形形状を呈している。パネル部３５は、外縁がボディ２０側に折り曲げられており、その先端は化粧パネル３０がボディ２０に取り付けられた状態で天井面に当接する。パネル部３５は、外縁より内側ではフランジ２５および天井面に当接しておらず、フランジ２５および天井面との間に空間が設けられる。
【００１９】
パネル部３５の角部には、他の領域よりも凹んだ凹部３６が形成されている。凹部３６の底面には、ねじ３２の軸部が貫通可能な穴３４が形成されている。化粧パネル３０は、穴に差し込まれるねじ３２で、ボディ２０のフランジ２５に固定される。
【００２０】
カバー３１は、パネル部３５の一部である凹部３６を覆う。凹部３６がカバー３１に覆われることで、化粧パネル３０を固定するねじ３２がカバー３１に隠されるため、意匠性の向上を図ることができる。
【００２１】
次に、カバー３１をパネル部３５に固定するための構造について説明する。図３に示すように、凹部３６の壁面３８には、カバー３１の着脱を案内する案内穴３０ａが形成される。凹部３６には、凹部３６の底面３７と対向する対向片３０ｂが形成されている。図３では、開口が形成された底面３７部分と対向する位置に対向片３０ｂが設けられている。このような状態も、対向片３０ｂが底面３７に対向しているものとする。凹部３６の壁面３８には、凹部３６に装着された状態でのカバー３１の位置決めを行う位置決め凹部３０ｃが形成されている。なお、位置決め凹部３０ｃは、穴として形成されていてもよい。凹部３６には、カバー３１の脱落を防ぐための脱落防止凹部３０ｄが形成されている。なお、本実施の形態１では、脱落防止凹部３０ｄが穴として形成された例を示している。
【００２２】
図５は、実施の形態１におけるカバー３１を裏面から見た斜視図である。図６および図７は、実施の形態１におけるカバー３１を表面から見た斜視図である。カバー３１には、凹部３６に形成された案内穴３０ａに挿入される案内凸部３１ａが形成される。案内凸部３１ａの先端には、凹部３６に案内穴３０ａからの抜け落ちを防ぐ引掛け部３１ｂが形成される。カバー３１には、凹部３６に装着された状態で底面３７と対向片３０ｂとの間に挿入される挿入片３１ｃが形成される。カバー３１には、凹部３６に装着された状態で位置決め凹部３０ｃに嵌る嵌合凸部３１ｄが形成される。カバー３１には、凹部３６に装着された状態で脱落防止凹部３０ｄに嵌る脱落防止凸部３１ｅが形成される。脱落防止凹部３０ｄから抜けにくくなるように、脱落防止凸部３１ｅの先端が根元より太くなっている。
【００２３】
図８から図１０は、実施の形態１にかかる換気扇１において化粧パネル３０の固定部分を拡大した部分拡大斜視図である。カバー３１は、凹部３６に形成された案内穴３０ａに案内凸部３１ａを挿入して、ボディ２０の開口２０ａ（図１も参照）と平行にスライドさせることで、凹部３６に装着される。
【００２４】
カバー３１は、凹部に装着された状態で凹部３６の底面３７と対向片３０ｂとの間に挿入片３１ｃが形成されることで、ボディ２０から離れる方向への移動が規制され、カバー３１とパネル部３５との間に隙間が生じにくくなる。これにより、意匠性の向上を図ることができる。
【００２５】
カバー３１は、凹部３６に装着された状態で凹部３６の壁面３８に形成された位置決め凹部３０ｃに嵌合凸部３１ｄが嵌まることで、凹部３６に装着された状態でのカバー３１の位置決めがなされる。
【００２６】
カバー３１は、凹部３６に装着された状態で凹部３６に形成された脱落防止凹部３０ｄに脱落防止凸部３１ｅが嵌まる。脱落防止凸部３１ｅの先端が脱落防止凹部３０ｄに引っ掛かることで、凹部３６から取り外す方向へのカバー３１のスライド移動が規制される。したがって、カバー３１の意図しない脱落が防止される。使用者によって、脱落防止凹部３０ｄから脱落防止凸部３１ｅが外れる力を加えられることで、凹部３６から取り外す方向へのカバー３１のスライド移動が可能となり、カバー３１を取り外すことができる。例えば、凹部３６の壁面３８とカバー３１との当接部分の一部に隙間を設け、その隙間部分にマイナスドライバーを差し込むことで、カバー３１を取り外す方向に容易に力を加えることができるようにしてもよい。
【００２７】
カバー３１を取り外す際に、カバー３１に形成された案内凸部３１ａの先端が案内穴３０ａに挿入された状態で、カバー３１をボディ２０から離れる方向に移動させることで、図１０に示すように、引掛け部３１ｂが案内穴３０ａに引っ掛かる。これにより、カバー３１を凹部３６部分に引掛けたまま、ねじ３２へのアクセスが可能となるため、化粧パネル３２の固定作業または取り外し作業時に、カバー３１を紛失しにくくなり、作業効率の向上が図られる。
【００２８】
パネル部３５とカバー３１を同一材料で形成することで、意匠性の向上を図ることができる。パネル部３５とカバー３１とで、色調および表面の加工方法を変えることで、意匠性の向上を図ることができる。
【００２９】
また、パネル部３５をねじ３２でボディ２０に固定することで、ばねを用いてボディ２０に固定した場合に比べて固定強度を向上させやすい。したがって、クリープ変形によってパネル部３５が変形しようとする力に抗して、パネル部３５と天井面との当接を維持して隙間が生じるのを抑えることができる。
【００３０】
また、ばねのように経年劣化による固定強度の低下が少ないため、経年劣化によってパネル部３５と天井面との間に隙間が生じるのを抑えることができる。
【００３１】
なお、本実施の形態１では、パネル部３５の角部に凹部３６を形成した例を挙げて説明した。角部以外に凹部３６を形成して、その凹部３６部分でパネル部３５をボディ２０にねじで固定してもよい。
【００３２】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００３３】
１  換気扇、１０  多翼式送風機、１１  ファンケーシング、１２  モーター、１３  ファン、２０  ボディ（本体）、２０ａ  開口、２１  ダクト接続枠、２２  シャッター、２３  吐出口、２４  ダクト、２５  フランジ、３０  化粧パネル、３０ａ  案内穴、３０ｂ  対向片、３０ｃ  位置決め凹部、３０ｄ  脱落防止凹部、３１  カバー、３１ａ  案内凸部、３１ｂ  引掛け部、３１ｃ  挿入片、３１ｄ  嵌合凸部、３１ｅ  脱落防止凸部、３２  ねじ、３５  パネル部、３６  凹部、３７  底面、３８  壁面。
【図１】
0006456255.tif 000002
【図２】
0006456255.tif 000003
【図３】
0006456255.tif 000004
【図４】
0006456255.tif 000005
【図５】
0006456255.tif 000006
【図６】
0006456255.tif 000007
【図７】
0006456255.tif 000008
【図８】
0006456255.tif 000009
【図９】
0006456255.tif 000010
【図１０】
0006456255.tif 000011